(57)【特許請求の範囲】
【請求項１】
テクニカルガスから酸性ガス成分を除去するための、以下：  
−  式Ｈ２Ｎ−ＣＨ２（ＣＨＲ２）ｘ−（ＯＣＨ２（ＣＨＲ３）ｙ）ｚ−ＯＣＨ３で表され、
式中、
Ｒ２がＨまたはＣＨ３であり、
Ｒ３がＨまたはＣＨ３であり、
ｘが０〜３であり、
ｙが１〜３であり、
ｚが０〜１０である、
１種またはそれ以上のアミンを０．１〜１００重量％、
−  他の溶剤を０〜９９．９重量％、
を含む液体の使用。
【請求項２】
ｘが１であり、そしてＲ２がＨである、請求項１記載の使用。
【請求項３】
ｘが２であり、そしてＲ２がＨである、請求項１記載の使用。
【請求項４】
ｙが１であり、そしてＲ３がＨである、請求項１〜３のいずれか１つに記載の使用。
【請求項５】
ｚが１〜４の数値である、請求項１〜４のいずれか１つに記載の使用。
【請求項６】
ｚが１である、請求項５記載の使用。
【請求項７】
ｚが０である、請求項２または３のいずれか１つに記載の使用。
【請求項８】
ｘが１であり、そしてＲ２がＣＨ３である、請求項１記載の使用。
【請求項９】
ｚが０である、請求項８記載の使用。
【請求項１０】
ｙが１であり、Ｒ３がＣＨ３であり、そしてｚが１である、請求項８記載の使用。
【請求項１１】
他の溶剤の少なくとも一部がピペラジンからなる、請求項１〜１０のいずれか１つに記載の使用。
【請求項１２】
ピペラジンの割合が０．１〜１０重量％である、請求項１１記載の使用。
【発明の詳細な説明】
【技術分野】
【０００１】
本発明は、テクニカルガス（technischen Gasen）から酸性ガス成分（sauren Gasbestandteilen）を分離するための溶剤であって、汚染されたテクニカルガスから液体を用いて酸性のガス成分を洗い落とす方法に使用できる溶剤に関し、前記の液体はその後再生され、閉ループ（geschlossenen Kreislauf）に再び送られる。
【背景技術】
【０００２】
溶剤の使用下において酸性のガス成分を除去する方法は数多く知られている。ここで、化学的に作用する溶剤と物理的に作用する溶剤とは明確に区別される。化学的に作用する洗浄剤（Wasch-mittel）は、低い酸性ガス分圧から中程度の酸性ガス分圧（例えば0.1〜2 bar）でさえも、高い負荷（Beladungen）で、酸性のガス成分を効果的に除去することができる。高い酸性ガス分圧（例えば＞2 bar）では、物理的に作用する溶剤で高い酸性ガス負荷が得られ、物理的に作用する溶剤はこれらの条件下において有利である。  
【０００３】
技術水準において、テクニカルガスからの酸性ガス成分の除去には、化学的に作用する溶剤、たとえばMDEA洗浄が用いられる。MDEAとして表される洗浄においては、溶剤として例えばメチルジエタノールアミンと水からなる50重量%溶液が使用される。このアミン濃度は、大量の酸性ガスの除去に最も適するとして知られる技術水準と一致するものである。物理的に作用する溶剤としては、例えば、セレクソール（Selexol）、モルフィソルブ（Morphysorb）、レチゾール（Rectisol等）が公知である。
【発明の開示】
【発明が解決しようとする課題】
【０００４】
本発明の目的は、化学的な吸収剤と物理的な吸収剤の利点を組み合わせ、特に高い負荷が可能である、改善された溶剤を提供することにある。  
【課題を解決するための手段】
【０００５】
本発明の目的は、テクニカルガスから酸性ガス成分を除去するための、以下：  
−  式Ｈ２Ｎ−ＣＨ２（ＣＨＲ２）ｘ−（ＯＣＨ２（ＣＨＲ３）ｙ）ｚ−ＯＲ１で表され、
式中、Ｒ１がＣ１〜Ｃ６−アルキルであり、
Ｒ２がＨまたはＣＨ３であり、
Ｒ３がＨまたはＣＨ３であり、
ｘが０〜３であり、
ｙが１〜３であり、
ｚが０〜１０である、
１種またはそれ以上のアミンを０．１〜１００重量％、
−  他の溶剤を０〜９９．９％、
を含む液体の使用によって達成される。
【０００６】
前記液体は、閉ループ内を循環する場合には、除去した酸性ガス成分の溶解した残留成分および不純物をさらに含むこともできる。
【０００７】
酸性ガス成分を多く含むテクニカルガスを前記の液体に接触させるが、その際には、通常の方法および装置、例えば洗浄カラム（Waschkolonnen）、膜接触器（Membrankontaktoren）、スプレー型スクラバー（Spruhwascher）等が使用される。加えられた液体は、通常、1つまたはそれ以上の段階において再生され、その場合には、特に減圧および温度上昇の段階、並びにカラムにおけるストリッピング剤（Strippmediums）による溶液のストリッピングが利用される。本発明の液体は、この目的に適しており、この方法によって、連続サイクル中で操作される閉ループを循環させることができる。酸性ガス成分の除去において、テクニカルガスは精製され、従ってさらなる用途へ利用可能となる。
【０００８】
本発明の1つの実施態様において、CH3（C1−アルキル、メチル）がR1として選択される。本発明の別の実施態様において、xは1であり、R2はHである。別の実施態様において、xは2であり、R2はHである。本発明の別の実施態様において、yは1であり、R3はHである。別の実施態様において、zは1〜4の数値であり、好ましくは選択される数値は1である。
【０００９】
本発明の別の実施態様において、CH3（C1−アルキル、メチル）がR1として選択され、xは1または2であり、そしてR2はHであり、0がzとして選択される。別の実施態様において、CH3（C1−アルキル、メチル）がR1として選択され、xは1であり、そしてR2はCH3である。本発明の別の実施態様においては、zが0であるかまたはyが1であり、R3はCH3であり、そしてzは1である。
【００１０】
本発明の別の実施態様においては、ジエチレンジアミンの名称でも知られる成分ピペラジンが10重量%までの量で前記液体に添加される。従って、好ましい実施態様として式H2N-(CH2)2-O(CH2)2-OCH3の液体がもたらされ、これは水または他の溶剤で希釈することができ、10重量%までのピペラジンを含むことができる。
【実施例】
【００１１】
本発明の利点を比較試験に基づいて詳細に説明し、負荷比較（Beladungsvergleich）を表1に示す。ここでは、テクニカルガスにおけるCO2分圧xに対するCO2の溶解度Yを示す。Yの測定単位としてはNdm3/kgを使用し、CO2分圧xはbar単位で示す。図1においては、H2N-(CH2)2-O(CH2)2-OCH3の溶液をMDEGAとして表す。
【００１２】
ここでは、85重量%のH2N-(CH2)2-O(CH2)2-OCH3化合物および15重量%の第二級アミンであるビスメチルジエチレングリコールアミンからなる溶液の酸性ガス成分に対する溶解能力を調べた。すなわち、試験により、驚くべきことに、85重量%という高い割合のH2N-(CH2)2-O(CH2)2-OCH3および15重量%のビスメチルジエチレングリコールアミンを有する溶液が、主にビスメチルジエチレングリコールアミンからなる溶液に比べて4倍高いCO2に対する吸収能力を有することが明らかになり、このことからは、できる限り高い酸性ガス吸収能力にはできる限り高い割合のH2N-(CH2)2-O(CH2)2-OCH3が重要であることが認められる。
【００１３】
図1は、H2N-(CH2)2-O(CH2)2-OCH3の85重量%溶液とMDEAの50重量%溶液との比較を示し、後者は技術水準において、CO2除去に最も適した溶剤として考えられている。50重量%のMDEA溶液と比較して、H2N-(CH2)2-O(CH2)2-OCH3の85重量%溶液に関しては、0.2〜2 barのCO2分圧では30〜50%高いCO2吸収が示され、5〜10 barでは50%高いCO2吸収が、そして20 barのCO2分圧では75%高いCO2吸収が示された。
【００１４】
本発明の溶剤はまた、他の酸性ガス成分、例えばH2S、HCN、COSおよびメルカプタンも吸収し、これは本発明のさらなる利点を構成するものである。
【図面の簡単な説明】
【００１５】
【図１】図1は、H2N-(CH2)2-O(CH2)2-OCH3の85重量%溶液とMDEAの50重量%溶液との比較を示す。
【図１】
0005435960.tif 000002